(57)【要約】【課題】長期間の設置などであってもシート状部材にかかるテンションを維持出来てしわが生じにくく、また、見た目もすっきりした、部品点数の比較的少ない看板を提供することを目的とする。【解決手段】連結用シート片21を折り返して円柱芯棒22の周囲を被い、折り返した連結用シート片21の対向する両端部で広告シート23の端部を挟み込み、この状態で連結用シート片21の両端部と広告シート23の端部を接着することで端縁に略円柱状突起20を形成したシート状広告部材(２)と、略円柱状突起20を長さ方向全体に亘って把持する把持筐体部31を先端部に有するテンションフレーム３と、看板の設置箇所９に固定される固定フレーム４と、この固定フレーム４にテンションフレーム３を着脱自在に取り付ける取り付け手段(51,55)と、を備えることで、シート状広告部材(２)を前記固定フレーム４に張設する看板とした。【選択図】図３
2012002891.tif 000002
【特許請求の範囲】
【請求項１】
連結用シート片を折り返して円柱芯棒の周囲を被い、折り返した前記連結用シート片の対向する両端部で広告シートの端部を挟み込み、この状態で前記連結用シート片の両端部と前記広告シートの端部を接着することで端縁に略円柱状突起を形成したシート状広告部材と、
前記略円柱状突起を長さ方向全体に亘って把持する把持筐体部を先端部に有するテンションフレームと、
看板の設置箇所に固定される固定フレームと、
この固定フレームに前記テンションフレームを着脱自在に取り付ける取り付け手段と、
を備えることで、
前記シート状広告部材を前記固定フレームに張設自在とした看板。
【請求項２】
取り付け手段が、
ボルト及びナットであり、
固定フレームには、
前記ボルトが外側から貫通するボルト貫通孔が設けられており、
テンションフレームの後端部には、
前記ボルト貫通孔から突出したボルトの先端部及びボルトに螺合したナットの両者を収容するための収容筐体部を有し、
この収容筐体部が、
把持筐体部の後側の上下両端縁から後方に延びるとともに、それぞれの後端部が互いに相手側に向かって折れ曲がってスリット状の開口を形成してなる中空角筒状である、
請求項１記載の看板。
【請求項３】
ボルトが、
低頭ボルトである、
請求項１又は２記載の看板。
【請求項４】
ナットが、
四角ナットであり収容筐体部の内部で回転が規制されるような大きさである、
請求項２又は３記載の看板。
【請求項５】
テンションフレームが把持筐体部の上下方向中央よりも上側の位置で略円柱状突起を把持するよう、
把持筐体部が上下非対称に構成されている、
請求項１〜４何れか記載の看板。
【請求項６】
連結用シート片を折り返して円柱芯棒の周囲を被い、折り返した前記連結用シート片の対向する両端部で広告シートの端部を挟み込み、この状態で前記連結用シート片の両端部と前記広告シートの端部を接着することで端縁に略円柱状突起を形成したシート状広告部材と、
前記略円柱状突起を長さ方向全体に亘って把持する把持筐体部を先端部に有するテンションフレームと、
看板の設置箇所に固定される固定フレームと、
この固定フレームに前記テンションフレームを着脱自在に取り付ける低頭ボルト及びナットと、
を備えることで、前記シート状広告部材を前記固定フレームに張設自在とした看板であって、
前記テンションフレームが前記把持筐体部の上下方向中央よりも上側の位置で略円柱状突起を把持するよう、把持筐体部が上下非対称に構成されており、
前記固定フレームには、
前記低頭ボルトが外側から貫通するボルト貫通孔が設けられており、
前記テンションフレームの後端部には、
前記ボルト貫通孔から突出した低頭ボルトの先端部及び低頭ボルトに螺合したナットの両者を収容するための収容筐体部を有し、
この収容筐体部が、
前記把持筐体部の後側の上下両端縁から後方に延びるとともに、それぞれの後端部が互いに相手側に向かって折れ曲がってスリット状の開口を形成してなる中空角筒状の筐体であり、
前記ナットが、
四角ナットであり前記収容筐体部の内部で回転が規制されるような大きさである、
看板。
【発明の詳細な説明】
【技術分野】
【０００１】
本発明は看板に関する。詳しくは、幕布やテント生地等のシート状部材を看板フレームに張設した看板に関する。
【背景技術】
【０００２】
建物の壁面や屋上には広告宣伝等を目的として看板が設置されることが多い。このような看板は、通常、比較的大きなシート状部材を看板フレームに張設した構成である。広告内容を変更する場合には、別の広告が印刷等されたシート状部材と交換するのである。
【０００３】
このような看板として、シート状部材の端部に取り付けられたハトメにロープを一目ずつ通しながら看板フレームに編んでいく、いわゆる「ラッキング方式」のものがある。
【０００４】
しかし、このような従来の看板は、作業に熟練した職人でなければシート状部材を綺麗に張設することが難しかった。また、相当な力でロープを引く必要があり体力の消耗が激しく、張設に時間がかかっていた。さらに、高所での作業が多いため非常に危険であった。
【０００５】
また、最近では、下記特許文献１に記載されている保持構造を用いた看板等がある。
【０００６】
特許文献１には「シート状部材の端縁を把持固定し、該端縁に直線的な剛性を付与する線状部材であって、該線状部材は、その長手方向断面が略Ｕ字形を形成するように該長手方向に沿う開口溝部を有すると共に、該開口溝部へ前記シート状部材の端縁の挿入を許容した後、カシメ手段により前記シート状部材の端縁を圧迫しこれを把持固定するための塑性変形可能な材質で構成された前記線状部材と、該線状部材をその内部に保持する中空長枠部材であって、その長手方向に沿って、前記シート状部材を把持固定した前記線状部材の嵌め込みを可能とする長手開口が形成された前記中空長枠部材と、から構成された前記シート状部材の保持構造において、前記シート状部材は、前記線状部材の外周の少なくとも一部を巻回して張架され、前記中空長枠部材は、該張架力に抗して前記線状部材を保持することを特徴とする前記保持構造」が記載されている。
【先行技術文献】
【特許文献】
【０００７】
【特許文献１】実用新案登録第３０７５１７３号公報（請求項１、図９、図１０）
【発明の概要】
【発明が解決しようとする課題】
【０００８】
しかし、上記特許文献１記載の保持構造は強度が十分でなく、長期間の設置などによって、線状部材によるシート状部材のテンション把持力が低下して、広告が印刷等されているシート状部材にしわが生じることがあった。
また、枠体(10)を固定フレーム（45）に取り付けるためのボルト(41)の先端部が看板の外側に向けて突出しているため、見た目が良くなかった。さらに、看板の正面側から見た場合も、枠体(10)に入り込ませたシート状部材の端部などが視認できてしまい、この点でも見た目が良くなかった。これらの部分が見えないように被覆カバーを取り付けた場合には、部品点数が増えてコスト高となりがちであった。
【０００９】
本発明は、上述の事柄に留意してなされたものであって、長期間の設置などであってもシート状部材にかかるテンションを維持出来てしわが生じにくく、また、見た目もすっきりした、部品点数の比較的少ない看板を提供することを目的とする。
【課題を解決するための手段】
【００１０】
上記課題を解決するために、連結用シート片を折り返して円柱芯棒の周囲を被い、折り返した前記連結用シート片の対向する両端部で広告シートの端部を挟み込み、この状態で前記連結用シート片の両端部と前記広告シートの端部を接着することで端縁に略円柱状突起を形成したシート状広告部材と、前記略円柱状突起を長さ方向全体に亘って把持する把持筐体部を先端部に有するテンションフレームと、看板の設置箇所に固定される固定フレームと、この固定フレームに前記テンションフレームを着脱自在に取り付ける取り付け手段と、を備えることで、前記シート状広告部材を前記固定フレームに張設自在とした看板、とした。
【００１１】
この看板は、シート状広告部材の端縁に形成した略円柱状突起の強度が高くなり、またテンションフレームの把持筐体部が略円柱状突起を長さ方向全体に亘って把持するために、長期間の設置などであってもシート状部材にかかるテンションを維持することができる。
また、テンションフレームの把持筐体部が略円柱状突起を長さ方向全体に亘って把持することから、シート状広告部材の端縁に形成した略円柱状突起などが、看板の正面から隠れるため、見た目がすっきりとした看板となる。これにより、被覆カバーを取り付ける必要性が無くなり、部品点数の比較的少ない看板となる。
【００１２】
取り付け手段が、ボルト及びナットであり、固定フレームには、前記ボルトが外側から貫通するボルト貫通孔が設けられており、テンションフレームの後端部には、前記ボルト貫通孔から突出したボルトの先端部及びボルトに螺合したナットの両者を収容するための収容筐体部を有し、この収容筐体部が、把持筐体部の後側の上下両端縁から後方に延びるとともに、それぞれの後端部が互いに相手側に向かって折れ曲がってスリット状の開口を形成してなる中空角筒状である、看板とすることが好ましい。スリット状の開口の幅は、ボルトに螺合したナットがフランジに引っ掛かって、スリットから抜けてしまわない程度の幅である。
【００１３】
この看板は、ボルトの先端部やナットが看板の外側に向けて突出することがないため、見た目が更にすっきりとした看板となる。
【００１４】
ボルトが低頭ボルトである看板とすることも好ましい。
【００１５】
この看板は、低頭ボルトを用いたことで、見た目が更に一層すっきりとしたものとなる。
【００１６】
ナットが四角ナットであり収容筐体部の内部で回転が規制されるような大きさである、看板とすることも好ましい。
【００１７】
この看板は、ナットの回転が規制されるため、ネジを締めるだけで固定フレームにテンションフレームを取り付けることができて、作業しやすい。
【００１８】
テンションフレームが把持筐体部の上下方向中央よりも上側の位置で略円柱状突起を把持するよう、把持筐体部が上下非対称に構成されている、看板とすることも好ましい。
【００１９】
この看板は、シート状広告部材の広告表示面が、テンションフレームの前面側に近くなり、看板全体として表面（前面）がフラットに近づくため、見た目が更に一層すっきりとしたものとなる。
【００２０】
また、上記課題は、連結用シート片を折り返して円柱芯棒の周囲を被い、折り返した前記連結用シート片の対向する両端部で広告シートの端部を挟み込み、この状態で前記連結用シート片の両端部と前記広告シートの端部を接着することで端縁に略円柱状突起を形成したシート状広告部材と、前記略円柱状突起を長さ方向全体に亘って把持する把持筐体部を先端部に有するテンションフレームと、看板の設置箇所に固定される固定フレームと、この固定フレームに前記テンションフレームを着脱自在に取り付ける低頭ボルト及びナットと、を備えることで、前記シート状広告部材を前記固定フレームに張設自在とした看板であって、前記テンションフレームが前記把持筐体部の上下方向中央よりも上側の位置で略円柱状突起を把持するよう、把持筐体部が上下非対称に構成されており、前記固定フレームには、前記低頭ボルトが外側から貫通するボルト貫通孔が設けられており、前記テンションフレームの後端部には、前記ボルト貫通孔から突出した低頭ボルトの先端部及び低頭ボルトに螺合したナットの両者を収容するための収容筐体部を有し、この収容筐体部が、前記把持筐体部の後側の上下両端縁から後方に延びるとともに、それぞれの後端部が互いに相手側に向かって折れ曲がってスリット状の開口を形成してなる中空角筒状の筐体であり、前記ナットが、四角ナットであり前記収容筐体部の内部で回転が規制されるような大きさである、看板によっても解決される。
【発明の効果】
【００２１】
本発明により、長期間の設置などであってもシート状部材にかかるテンションを維持出来てしわが生じにくく、また、見た目もすっきりした、部品点数の比較的少ない看板を提供することができる。
【図面の簡単な説明】
【００２２】
【図１】看板の一部分解斜視図（写真）である。
【図２】図１の看板の部分拡大斜視図（写真）である。
【図３】図１の看板の部分拡大図である。
【図４】固定フレーム、テンションフレーム、及び取り付け手段（ボルトとナット）を模式的に示す図（写真）である。
【図５】固定フレームにテンションフレームを取り付ける様子を模式的に示す図（写真）である。
【発明を実施するための形態】
【００２３】
以下、図を用いて本発明を例示説明する。本発明の看板１は、シート状広告部材２、テンションフレーム３、固定フレーム４、及び取り付け手段５（ボルト51及びナット55）を備えている。以降、各構成要素について詳説する。なお、本実施形態の看板１はコーナーカバー８を備えており、図１等においては、手前側のコーナーカバーを取り払った状態を示してある。また、固定フレーム４とテンションフレーム３は共に長尺体であるが、説明の都合上、図４及び図５においては共に長さの短いものを用いてある。
【００２４】
［シート状広告部材］
シート状広告部材２は、後述するように、テンションフレーム３と取り付け手段５(51,55)によって固定フレーム４に張設されるものである。シート状広告部材２の四つ（上下左右の二対）の端縁には、それぞれ円柱棒を横に倒して沿わせたような略円柱状突起20が形成されている（図２、図３参照）。この略円柱状突起20は、連結用シート片21を折り返して、この折り返し箇所で円柱芯棒22の周囲を被い、折り返した連結用シート片21の対向する両端部で広告シート23の端部を挟み込み、この状態で、連結用シート片21の対向する両端部それぞれを広告シート23の端部に接着することで形成されている。
【００２５】
本実施形態においては、ケダー構造からなる連結用シート片21を用いており、折り返した連結用シート片21の対向する両端部で広告シート23の端部を挟み込み、熱又は超音波で連結用シート片21と広告シート23を溶着してある。
このようなケダー構造としては、具体的には、ケダー又はケダービード集合体（米国ＢＰアモコ社製Keder又はKeder Bead）の構造からなる丈夫で軽量且つ耐候性の良い素材であって、広告シート一辺に沿って棒状の略円柱状突起（ビード部）を一体形成した部材（ドイツ国THOM H. van der Boon b. v. 社製品Keder）などを用いることができる。
【００２６】
［テンションフレーム］
テンションフレーム３は、シート状広告部材２の略円柱状突起20を把持するとともに、後述する固定フレーム４に取り付けられて、シート状広告部材２（図２参照）を固定フレーム４に張設するための、長尺なフレーム体である。
本実施形態においては略円柱状突起20の数に対応して四個（上下左右の二対）のテンションフレーム３が用いられており、それぞれ、先端部の把持筐体部31と、この把持筐体部31と連続して設けられた、後端部の収容筐体部35とで構成されている。
【００２７】
このうち、把持筐体部31は、図３に示すように、テンションフレーム３の先端部（長さ方向に沿った先端部）に設けられ、シート状広告部材２の略円柱状突起20を長さ方向全体に亘って把持する。具体的には、テンションフレーム３の先端において、長さ方向に沿って全体に、シート状広告部材２（二重になった連結用シート片21）の挿入溝310を設け、この挿入溝310に連通して、長さ方向に沿って全体に、略円柱状突起20の挿入孔311を設けたものである。また、挿入溝310は、把持筐体部31の上下方向中央よりも上側の位置で設けられている。これによって、把持筐体部31の上下方向中央よりも上側（看板の表面側）の位置で略円柱状突起20を把持するよう、把持筐体部31が上下非対称に構成されていることになる。
【００２８】
一方、収容筐体部35は、図３に示すように、テンションフレーム３の後端部（長さ方向に沿った後端部）に設けられ、後述する固定フレーム４に設けられたボルト貫通孔から突出したボルト51の先端部及びボルト51に螺合したナット55の両者を収容する。収容筐体部35は把持筐体部31の後側の上下両端縁から後方に延びるとともに、それぞれの後端部が互いに相手側に向かって折れ曲がってフランジを形成し、このフランジの先端部同士の隙間がスリット状の開口350を形成してなる中空角筒状の筐体である。スリット状の開口350の幅（図３では上下フランジの隙間、高さ方向の距離）は、ボルト51に螺合したナット55がフランジに引っ掛かって、スリットから抜けてしまわない程度の幅である。
【００２９】
［固定フレーム］
固定フレーム４は、看板１の設置箇所９に固定され、シート状広告部材２の略円柱状突起20を把持したテンションフレーム３が取り付けられるものである。本実施形態では固定フレーム４として四本のアングルを用い、看板設置箇所の上下左右の二対の位置に、内向きになるように固定してある。また、固定フレーム４の立ち上がり壁41には、後述するボルト51が外側から貫通するためのボルト貫通孔（図示せず）が複数箇所に設けられている。
【００３０】
［取り付け手段（ボルト及びナット）］
取り付け手段５は、シート状広告部材２の略円柱状突起20を把持したテンションフレーム３を固定フレーム４に着脱自在に取り付けることで、シート状広告部材２を固定フレーム４に張設するものである。本実施形態では、ボルト51として六角穴付き低頭ボルト（ボタンボルト）と、ナット55として四角ナットを用いてある。
【００３１】
以下、取り付け方法を例示する。まず、図４及び図５に示すように、固定フレーム４に設けられたボルト貫通孔に、外側（看板１の外側に相当）から低頭ボルト(51)を貫通させる。そして、貫通した低頭ボルト(51)の先端部に四角ナット(55)を緩く螺合させる。次に、テンションフレーム３の収容筐体部35に設けたスリット状の開口350に、低頭ボルト(51)の付け根付近部分（ボルト貫通孔を貫通した部分）をスライド挿入させる（図５参照）。このとき、テンションフレーム３の把持筐体部31に設けた挿入孔311に、シート状広告部材２の略円柱状突起20をスライド挿入してもよい。最後に、低頭ボルト(51)を締め付けることで固定フレーム４にテンションフレーム３を取り付けるのである。
ここで、固定フレーム４にテンションフレーム３を取り付けた状態で、固定フレーム４の立ち上がり壁41の先端（図３では上端）が、テンションフレーム３の表面（図３では上面）と、概ね同一平面上に存在するように設計されており、これによって、看板全体として表面（前面）がフラットに近づくため、見た目が更に一層すっきりとしたものとなる。
また、四角ナット(55)の大きさは、収容筐体部35の内部で四角ナット(55)の回転が規制されるような大きさとしてあり、これによって、設置作業を容易にしてある。具体的には、図３に示すように、収容筐体部35の内部空間の高さよりも四角ナット(55)の一辺の長さ（高さ）が若干無短くなるようにしてある。
【００３２】
以上、特定の実施形態を参照して本発明を説明したが、本発明は上記実施形態に限定されるものではなく、当該技術分野における熟練者等により、本出願の願書に添付された特許請求の範囲から逸脱することなく、種々の変更及び修正が可能である。
【符号の説明】
【００３３】
１  看板
２  シート状広告部材
20  略円柱状突起
21  連結用シート片
22  円柱芯棒
23  広告シート
３  テンションフレーム
31  把持筐体部
310  挿入溝
311  挿入孔
35  収容筐体部
350  スリット状の開口
４  固定フレーム
41  立ち上がり壁
５  取り付け手段
51  ボルト
55  ナット
８  コーナーカバー
９  設置箇所
【図１】
2012002891.tif 000003
【図２】
2012002891.tif 000004
【図３】
2012002891.tif 000005
【図４】
2012002891.tif 000006
【図５】
2012002891.tif 000007